(57)【要約】【課題】ロープを切断し若しくは縛ることなく、簡単且つ小型の係止具を用いてロープの長さを調節し得るようにしたロープの長さ調整手段を提供する。【解決手段】筒状部（３）の一端（３ａ）に板状部（５）を延設すると共に該板状部には透孔（７）を設けてなる係止具（１）を形成し、ロープ（９）の端部（９ａ）にはストッパー部（１１）を形成し、該係止具における筒状部はロープを挿通させ又はロープのストッパー部を係止し得るようになし、該係止具における透孔はロープを挿通させ又はロープのストッパー部を係止し得るようにしたことを特徴とするロープの長さ調整手段。【選択図】図１
2005171422.tif 000002
【特許請求の範囲】
【請求項１】
筒状部の一端に板状部を延設すると共に該板状部には透孔を設けてなる係止具を形成し、ロープの端部にはストッパー部を形成し、該係止具における筒状部はロープを挿通させ又はロープのストッパー部を係止し得るようになし、該係止具における透孔はロープを挿通させ又はロープのストッパー部を係止し得るようにしたことを特徴とするロープの長さ調整手段。
【請求項２】
前記係止具における筒状部の内面は断面略楕円形であることを特徴とする請求項１に記載のロープの長さ調整手段。
【請求項３】
前記係止具における筒状部にはロープを挿通させ、該ロープの一端を該係止具方向に折り返して当該一端のストッパー部を該係止具における透孔に係止させたことを特徴とする請求項１又は２に記載のロープの長さ調整手段。
【請求項４】
前記係止具を二個用意し、第一の係止具における筒状部と透孔とにロープを挿通させ、該透孔から延びるロープの一端を第一の係止具方向に折り返し、当該一端のストッパー部を第二の係止具における筒状部に係止し、第二の係止具における透孔と、第一の係止具における筒状部と透孔との間のロープ部とを、連結手段を介して連結したことを特徴とする請求項１又は２に記載のロープの長さ調整手段。
【請求項５】
筒状部の一端に板状部を延設し、該板状部には透孔を設け、該板状部における該筒状部と反対側の面に押圧用環状部を設けてなる係止具を形成し、該係止具における筒状部にはロープを挿通させ、該ロープの一端を該係止具方向に折り返して板状部における透孔に挿通させると共に該ロープの当該一端を該押圧用環状部に挿入し、該押圧用環状部を押しつぶして該ロープの当該一端を該押圧用環状部により固定させるようにしたことを特徴とするロープの長さ調整手段。
【発明の詳細な説明】
【技術分野】
【０００１】
本発明は、ロープの長さ調整手段に関するものである。本発明におけるロープには、例えば、登山、ヨット、乗馬、スカイスポーツ等のスポーツ用の紐、インテリア用品の紐、荷締め用ロープ、テント等のアウトドアレジャー用のロープ、安全具のロープ等が含まれる。
【背景技術】
【０００２】
ロープは、使用目的に応じてその長さを調節する必要がある。ロープの長さを調節する手段としては、ロープ自体を切断し若しくはロープを縛るという手法も用いられている。
【０００３】
また、特開平７−２３８４７９号公報及び特開平７−９０７８７号公報は、長さ調節具を用いたロープの長さ調節手段を開示している。
【特許文献１】特開平７−２３８４７９号公報
【特許文献２】特開平７−９０７８７号公報
【発明の開示】
【発明が解決しようとする課題】
【０００４】
しかるに、ロープの長さを調節するためにロープの長さを切断することは、ロープによっては困難であり、体裁面でも好ましくない。また、ロープを短く切断した場合には、該ロープを使用長さの異なる用途に再使用することができなくなることもある。
【０００５】
ロープの長さを調節するためにロープを縛った場合には、体裁面で好ましくないだけでなく、縛りが緩み若しくは解けるおそれもある。
【０００６】
特開平７−２３８４７９号公報に開示されている長さ調節可能なロープ具は、構造が複雑であって製造コストが嵩むという問題がある。また、このロープ具は、大型であってロープから大きく突出するため、用途が限定されるものである。
【０００７】
特開平７−９０７８７号公報に示すロープの長さ調節手段は、特殊な繊維ロープについてのみ適用されるものであり、一般的なロープには適用することができないものである。
【０００８】
本発明は、ロープを切断し若しくは縛ることなく、簡単且つ小型の係止具を用いてロープの長さを調節し得るようにしたロープの長さ調整手段を提供しようとしてなされたものである。
【課題を解決するための手段】
【０００９】
上記課題を解決するために、本発明は下記のロープの長さ調整手段を提供する。
【００１０】
（１）筒状部の一端に板状部を延設すると共に該板状部には透孔を設けてなる係止具を形成し、ロープの端部にはストッパー部を形成し、該係止具における筒状部はロープを挿通させ又はロープのストッパー部を係止し得るようになし、該係止具における透孔はロープを挿通させ又はロープのストッパー部を係止し得るようにしたことを特徴とするロープの長さ調整手段（請求項１）。
【００１１】
（２）前記係止具における筒状部の内面は、断面略楕円形である（請求項２）。
【００１２】
（３）前記係止具における筒状部にはロープを挿通させ、該ロープの一端を該係止具方向に折り返して当該一端のストッパー部を該係止具における透孔に係止させる（請求項３）。
【００１３】
（４）前記係止具を二個用意し、第一の係止具における筒状部と透孔とにロープを挿通させ、該透孔から延びるロープの一端を第一の係止具方向に折り返し、当該一端のストッパー部を第二の係止具における筒状部に係止し、第二の係止具における透孔と、第一の係止具における筒状部と透孔との間のロープ部とを、連結手段を介して連結する（請求項４）。
【００１４】
（５）筒状部の一端に板状部を延設し、該板状部には透孔を設け、該板状部における該筒状部と反対側の面に押圧用環状部を設けてなる係止具を形成し、該係止具における筒状部にはロープを挿通させ、該ロープの一端を該係止具方向に折り返して板状部における透孔に挿通させると共に該ロープの当該一端を該押圧用環状部に挿入し、該押圧用環状部を押しつぶして該ロープの当該一端を該押圧用環状部により固定させるようにしたことを特徴とするロープの長さ調整手段（請求項５）。
【００１５】
［発明の作用］
［請求項１の発明］
請求項１のロープの長さ調整手段を使用する際には、例えば、係止具における筒状部又は透孔のいずれか一方にロープを挿通させ、該ロープの一端を該係止具方向に折り返して当該一端のストッパー部を該係止具における筒状部又は透孔の他方に係止させる。
【００１６】
ロープの長さは、折り返して二重になったロープ部分の長さを調節することにより調整される。
【００１７】
［請求項２の発明］
係止具における筒状部の内面が断面略楕円形であるため、該筒状部に挿通されたロープは該筒状部により押圧される。従って、ロープに振動が加えられたときでも、該ロープが筒状部内で長さ方向に動くことはない。
【００１８】
［請求項３の発明］
ロープの長さは、折り返して二重になったロープ部分の長さを調節することにより調整される。ロープのストッパー部を係止具における透孔に係止させたため、ロープはロックされ、ロープが長さ方向にずれることはない。図６参照。
【００１９】
［請求項４の発明］
ロープの長さは、折り返して二重になったロープ部分の長さを調節することにより調整される。ロープのストッパー部を第二の係止具における筒状部に係止し、第二の係止具における透孔と、第一の係止具における筒状部と透孔との間のロープ部とを、連結手段を介して連結したため、ロープはロックされ、ロープが長さ方向にずれることはない。図７参照。
【００２０】
［請求項５の発明］
ロープの長さは、折り返して二重になったロープ部分の長さを調節することにより調整される。押圧用環状部を押しつぶしてロープの一端を該押圧用環状部により固定させるようにしたため、ロープはロックされ、ロープが長さ方向にずれることはない。図９参照。
【発明の効果】
【００２１】
本発明によれば、ロープを切断し若しくは縛ることなく、簡単且つ小型の係止具を用いてロープの長さを調節することができる。
【００２２】
ロープの長さは、折り返して二重になったロープ部分の長さを調節することにより容易且つ迅速に調整される。ロープのストッパー部を係止具における筒状部若しくは透孔に係止させ又は押圧用環状部を押しつぶしてロープの一端を該押圧用環状部により固定させることにより、ロープはロックされ、ロープが長さ方向にずれることはない。
【発明を実施するための最良の形態】
【００２３】
符号１に示すものは係止具である。係止具１は、筒状部３の一端３ａに板状部５を延設すると共に該板状部５には透孔７を設けてなるものである。係止具１は好ましくは金属により一体的に形成する。
【００２４】
筒状部３の内面３ｂは、図３に示すように断面略円形であってもよいが、好ましくは図４に示すように断面略楕円形とする。
【００２５】
ロープ９の端部９ａにはストッパー部１１を形成する。ストッパー部１１は一例として膨出部とする。
【００２６】
係止具１における筒状部３はロープ９を挿通させ又はロープ９のストッパー部１１を係止し得るようになす。
【００２７】
係止具１における透孔７はロープ９を挿通させ又はロープ９のストッパー部１１を係止し得るようになす。
【００２８】
図６に示す事例においては、係止具１における筒状部３にはロープ９を挿通させ、該ロープ９の一端９ａを該係止具１方向に折り返して当該一端９ａのストッパー部１１を該係止具１における透孔７に係止させている。図６における符号１３は、折り返して二重になったロープ部分の長さを示す。なお、符号１５に示すものは、ロープ９の折り返し部９ｂに連結された連結具である。
【００２９】
図７に示す事例においては、前記係止具１を二個（第一の係止具１Ａと第二の係止具１Ｂ）使用している。即ち、第一の係止具１Ａにおける筒状部３と透孔７とにロープ９を挿通させ、該透孔７から延びるロープ９の一端９ａを第一の係止具１Ａ方向に折り返し、当該一端９ａのストッパー部１１を第二の係止具１Ｂにおける筒状部３に係止し、第二の係止具１Ｂにおける透孔７と、第一の係止具１Ａにおける筒状部３と透孔７との間のロープ部９ｃとを、連結手段１７、１９を介して連結している。図７における符号２１は、折り返して二重になったロープ部分の長さを示す。
【００３０】
図８に示す事例においては、前記係止具１を二個（第一の係止具１Ａと第二の係止具１Ｂ）とロープ９を二本（第一のロープ９Ａと第二のロープ９Ｂ）使用している。即ち、第一のロープ９Ａを第一の係止具１Ａにおける筒状部３に挿通させると共に第一のロープ９Ａの一端９ａにおけるストッパー部１１を第二の係止具１Ｂにおける透孔７に係止し、第二のロープ９Ｂを第二の係止具１Ｂにおける筒状部３に挿通させると共に第二のロープ９Ｂの一端９ａにおけるストッパー部１１を第一の係止具１Ａにおける透孔７に係止している。
【００３１】
図９に示す事例においては、筒状部３の一端３ａに板状部５を延設し、該板状部５には透孔７を設け、該板状部５における該筒状部３と反対側の面に押圧用環状部２３を設けてなる係止具１’を形成し、該係止具１’における筒状部３にはロープ９を挿通させ、該ロープ９の一端９ａを該係止具１’方向に折り返して板状部５における透孔７に挿通させると共に該ロープ９の当該一端９ａを該押圧用環状部２３に挿入し、該押圧用環状部２３を押しつぶして該ロープ９の当該一端９ａを該押圧用環状部２３により固定させるようにしている。図９における符号２５は、折り返して二重になったロープ部分の長さを示す。
【図面の簡単な説明】
【００３２】
【図１】係止具の一例を示す斜視図である。
【図２】同上係止具の断面図である。
【図３】係止具における筒状部の一例を示す断面図である。
【図４】係止具における筒状部の別の一例を示す断面図である。
【図５】係止具にロープを挿通させた状態を示す斜視図である。
【図６】係止具の使用状態の一例を示す断面図である。
【図７】係止具の使用状態の別の一例を示す断面図である。
【図８】係止具の使用状態の更に別の一例を示す断面図である。
【図９】別の係止具の使用状態の一例を示す断面図である。
【符号の説明】
【００３３】
１  係止具
１’  係止具
１Ａ  第一の係止具
１Ｂ  第二の係止具
３  筒状部
３ａ  一端
３ｂ  内面
５  板状部
７  透孔
９  ロープ
９Ａ  第一のロープ
９Ｂ  第二のロープ
９ａ  端部
９ｂ  折り返し部
１１  ストッパー部
１３  折り返して二重になったロープ部分の長さ
１５  連結具
１７  連結手段
１９  連結手段
２１  折り返して二重になったロープ部分の長さ
２３  押圧用環状部
２５  折り返して二重になったロープ部分の長さ
【図１】
2005171422.tif 000003
【図２】
2005171422.tif 000004
【図３】
2005171422.tif 000005
【図４】
2005171422.tif 000006
【図５】
2005171422.tif 000007
【図６】
2005171422.tif 000008
【図７】
2005171422.tif 000009
【図８】
2005171422.tif 000010
【図９】
2005171422.tif 000011